(57)【要約】      （修正有）【課題】指１本で開閉スイッチを押すことにより水の出止および水量の調整ができるとともに、従来の水道装置を大きく変えることなく取り付けることができる装置を提供すること。【解決手段】水道パイプＡ２に、バルブＡ６、ロータコイルＡ７、ステータコイルＡ８、ベアリングＡ９、スライドスイッチＡ１０およびコンセントＡ６０で構成されたステップモータＡ２をボルトＡ１１で取り付け、更にステップモータＡの上に、前記バルブＡを作動させる開閉スイッチを有する開閉装置Ａ１２を取り付ける。【選択図】  図１
2004232447.tif 000002
【特許請求の範囲】
【請求項１】
ア）▲２▼パイプＡに▲３▼ゴムパッキンＡ▲４▼ゴムパッキンＢ▲５▼ゴムパッキンＣを、取りつける。
イ）▲２▼パイプＡに▲６▼バルブＡ▲７▼ロータコイルＡ▲８▼ステータコイルＡ▲９▼ベアリング▲１０▼スライドスイッチＡ▲６０▼コンセントＡで構成された▲１▼ステップモータＡを▲１１▼ボルトＡで取りつける。
ウ）▲１５▼パイプＢに▲１４▼ゴムパッキンＤを取りつける。
エ）▲１▼ステップモータＡの上に▲１６▼スピーカＡ電池ボックスＡ▲１８▼スピーカ切り替えスイッチＡ▲５３▼送信器Ａ▲１９▼開閉スイッチＡ▲２０▼受信器Ａ▲２１▼識別パネルＡ▲２２▼回路基板Ａ▲２３▼開閉パネルＡで構成された▲１２▼開閉装置Ａを取りつける。
【請求項２】
オ）▲２▼パイプＡに▲３▼ゴムパッキンＡ▲４▼ゴムパッキンＢ▲５▼ゴムパッキンＣを取りつける。
カ）▲１▼ステップモータＡを▲１１▼ボルトＡで取りつける。
キ）▲１▼ステップモータＡの上に▲２４▼スピーカＢ▲２５▼電池ボックスＢ▲２６▼スピーカ切り替えスイッチ▲２７▼開閉スイッチＢ▲２８▼受信器Ｂ▲２９▼識別パネルＢ▲３０▼回路基板Ｂ▲３１▼開閉パネルＢ▲５４▼送信器Ｂで構成された▲１３▼開閉装置Ｂを取りつける。
ク）▲１５▼パイプＢに▲１４▼ゴムパッキンＤを取りつける。
【請求項３】
ケ）▲３２▼パイプＣに▲３３▼バルブＣ▲３４▼ゴムパッキンＥ▲３５▼ゴムパッキンＦを取りつける。
コ）▲３７▼バルブＢに▲３８▼ロータコイルＢを取りつけたものを▲３３▼バルブＣに▲３６▼ボルトＢで取りつける。
サ）▲３２▼パイプＣに▲３９▼ステータコイルＢ▲４０▼ベアリングＢ▲４１▼フタ▲４２▼スライドスイッチＢ▲４４▼ナット▲４５▼ピン▲６１▼コンセントＢで構成された▲４３▼ステップモータＢを取りつける。
シ）▲４３▼ステップモータＢの上に▲１２▼開閉装置Ａを取りつける。
【請求項４】
ス）▲３２▼パイプＣに▲３３▼バルブＣ▲３４▼ゴムパッキンＥ▲３５▼ゴムパッキンＦ▲４３▼ステップモータＢを取りつける。
セ）▲４３▼ステップモータＢの上に▲１３▼開閉装置Ｂを取りつける。
【請求項５】
ソ）▲５２▼作動装置に▲４６▼送信器Ｃ▲４７▼液晶▲４８▼スピーカＣ▲４９▼作動パネル▲５０▼月日スイッチ▲５３▼時間スイッチ▲５４▼温度スイッチ▲５５▼給湯スイッチ▲５６▼給水スイッチ▲５７▼おはなしスイッチ▲５８▼回路基板Ｃ▲５９▼電池ボックスＣ▲６２▼コンセントＣを取りつける。
タ）▲５２▼作動装置を▲５１▼土台の上に取りつける。
チ）▲１▼ステップモータＡの上に▲１２▼開閉装置Ａを取りつける。
【請求項６】
ツ）▲５２▼作動装置を▲５１▼土台に取りつける。
テ）▲４３▼ステップモータＢの上に▲１２▼開閉装置Ａを取りつける。
【発明の詳細な説明】
本発明は指１本でスイッチを押す事で水を出止でき水量を自由に変えその水量を保つ事ができる。
又、スライドスイッチをつける事で、バルブが閉まっているか確認できる。
特に従来の水道装置を大きく変えなくても本発明をつける事ができるので便利である。
〔発明の実施の形態〕
この発明は水道管にモータを取りつけて水を出止するものである。
以下その作動について説明する。
請求項１について説明する。
▲１２▼開閉装置Ａの▲１９▼開スイッチを押すと▲６▼バルブＡが上にあがり水路を開く▲１９▼開スイッチを離してもその状態を保ち水が流れる。▲１９▼閉スイッチを押すと▲６▼バルブＡが下にさがり水路を閉じる。
又▲６▼バルブＡが上にあがる時▲１０▼スライドスイッチＡの斜線の金属部分にあたるがこの状態が数秒続くと▲１６▼スピーカＡから警告音が鳴り▲６▼バルブＡの閉め忘れを知らせる。
警告音が必要ない時は▲１８▼スピーカ切り替えスイッチＡを切にすれば警告音は鳴らない。これにより指１本で水を出止でき自由な水量を保つ事もできる。
請求項２について説明する。
▲１３▼開閉装置Ｂのお湯側の▲２７▼開スイッチを押すと▲６▼バルブＡが上にあがり水路が開く。お湯側の▲２７▼開スイッチを離してもその状態を保ち水が流れる。お湯側の▲２７▼閉スイッチを押すと▲６▼バルブＡが下にさがり水路を閉じる。水側の作動はお湯側に準じる。又▲６▼バルブＡが上にあがる時▲１０▼スライドスイッチＡの斜線の金属部分にあたるがこの状態が数秒続くと▲２４▼スピーカＢから警告音が鳴り▲６▼バルブＡの閉め忘れを知らせる。警告音が必要ない時は▲２６▼スピーカ切り替えスイッチＢを切にすれば警告音は鳴らない。これによって指１本でお湯又は水を出止でき自由な水量を保つ事もできる。
請求項３について説明する。
▲１２▼開閉装置Ａの▲１９▼開スイッチを押すと▲３３▼バルブＣが上にあがり水路を開く。▲１９▼開スイッチを離してもその状態を保ち水が流れる。▲１９▼閉スイッチを押すと▲３３▼バルブＣが下にさがり水路を閉じる。又▲３３▼バルブＣが上にあがる時▲４２▼スライドスイッチＢの斜線金属部分にあたるが、この状態が数秒続くと▲１６▼スピーカＡから警告音が鳴り▲３３▼バルブＣの閉め忘れを知らせる。警告音が必要ない時は▲１８▼スピーカ切り替えスイッチＡを切にすれば警告音は鳴らない。これによって指１本で水を出止でき自由な水量を保つ事もできる。特に従来の水道装置を大きく変えないで使用できるのが特徴である。
請求項４について説明する。
▲１３▼開閉装置Ｂのお湯側の▲２７▼開スイッチを押すと▲３３▼バルブＣが上にあがり水路を開く。お湯側の▲２７▼開スイッチを離してもその状態を保ち水が流れる。お湯側の▲２７▼閉スイッチを押すと▲３３▼バルブＣが下にさがり水路を閉じる。水側の作動はお湯側に準じる。又▲３３▼バルブＣが上にあがる時▲４２▼スライドスイッチＢの斜線金属部分にあたるがこの状態が数秒続くと▲２４▼スピーカＢから警告音が鳴り▲３３▼バルブＣの閉め忘れを知らせる。警告音が必要ない時は▲２６▼スピーカ切り替えスイッチＢを切にすれば警告音は鳴らない。これによって指１本で水を出止でき自由な水量を保つ事もできる。特に従来の水道装置をそのまま使用できるのが特徴である。
請求項５について説明する。
2004232447.tif 000003
請求項６について説明する。
2004232447.tif 000004
【図面の簡単な説明】
【図１】本発明の横図
【図２】本発明の上図
【図３】本発明の上図
【図４】本発明の横図
【図５】本発明の上図
【符号の説明】
▲１▼ステップモータＡ
▲２▼パイプＡ
▲３▼ゴムパッキンＡ
▲４▼ゴムパッキンＢ
▲５▼ゴムパッキンＣ
▲６▼バルブＡ
▲７▼ロータコイル
▲８▼ステータコイル
▲９▼ベアリングＡ
▲１０▼スライドスイッチＡ
▲１１▼ボルトＡ
▲１２▼開閉装置Ａ
▲１３▼開閉装置Ｂ
▲１４▼ゴムパッキンＤ
▲１５▼パイプＢ
▲１６▼スピーカＡ
▲１７▼電池ボックスＡ
▲１８▼スピーカ切り替えスイッチＡ
▲１９▼開閉スイッチＡ
▲２０▼受信器
▲２１▼識別パネルＡ（お湯、赤，水、水色）
▲２２▼回路基板Ａ
▲２３▼開閉パネルＡ
▲２４▼スピーカＢ
▲２５▼電池ボックスＢ
▲２６▼スピーカ切り替えスイッチＢ
▲２７▼開閉スイッチＢ
▲２８▼受信器Ｂ
▲２９▼識別パネルＢ（お湯、赤，水、水色）
▲３０▼回路基板Ｂ
▲３１▼開閉パネルＢ
▲３２▼パイプＣ
▲３３▼バルブＣ
▲３４▼ゴムパッキンＥ
▲３５▼ゴムパッキンＦ
▲３６▼ボルトＢ
▲３７▼バルブＢ
▲３８▼ロータコイルＢ
▲３９▼ステータコイルＢ
▲４０▼ベアリングＢ
▲４１▼フタ
▲４２▼スライドスイッチＢ
▲４３▼ステップモータＢ
▲４４▼ナット
▲４５▼ピン
▲４６▼送信器Ｃ
▲４７▼液晶
▲４８▼スピーカＣ
▲４９▼作動パネル
▲５０▼月日スイッチ
▲５１▼土台
▲５２▼作動装置
▲５３▼時間スイッチ
▲５４▼温度スイッチ
▲５５▼給湯スイッチ
▲５６▼給水スイッチ
▲５７▼おはなしスイッチ
▲５８▼回路基板Ｃ
▲５９▼電池ボックスＣ
▲６０▼コンセントＡ
▲６１▼コンセントＢ
▲６２▼コンセントＣ
【図１】
2004232447.tif 000005
【図２】
2004232447.tif 000006
【図３】
2004232447.tif 000007
【図４】
2004232447.tif 000008
【図５】
2004232447.tif 000009